(57)【要約】【課題】本発明は、電柱等の高所に設置される照明器具の直管ランプを交換する作業の際に、直管ランプが破損するのを好適に防止して、交換作業の効率を高めることのできる直管ランプ収容具を提供することを課題とする。【解決手段】本発明に係る直管ランプ収容具１は、電柱等の高所に設置される照明器具に取り付けられる直管ランプＬの交換作業の際に用いられる直管ランプ収容具１であって、少なくとも二つの直管ランプＬ，Ｌ…を別個に収容すべく一つの直管ランプＬに対応した収容空間Ｓが少なくとも二つ確保され、一端側から前記直管ランプＬが出し入れされるケース本体２と、該ケース本体２を作業者に保持させるための保持部材３とを備える。【選択図】図２
2008066079.tif 000002
【特許請求の範囲】
【請求項１】
電柱等の高所に設置される照明器具に取り付けられる直管ランプの交換作業の際に用いられる直管ランプ収容具であって、
少なくとも二つの直管ランプを別個に収容すべく一つの直管ランプに対応した収容空間が少なくとも二つ確保され、一端側から前記直管ランプが出し入れされるケース本体と、
該ケース本体を作業者に保持させるための保持部材とを備えることを特徴とする直管ランプ収容具。
【請求項２】
前記ケース本体は、直管ランプを一つ収容可能で他端側に底部を有する筒状体を少なくとも二つ連結させて構成されることを特徴とする請求項１に記載の直管ランプ収容具。
【請求項３】
前記筒状体は、開放された一端側の開口部から他端側に向かう切り欠きを外周面に有し、
該切り欠きは、前記両端間方向における一端が前記筒状体に収容される直管ランプの一端部よりも前記他端側に位置するように形成されることを特徴とする請求項２に記載の直管ランプ収容具。
【請求項４】
前記筒状体の内部には、前記直管ランプを受け止める弾性変形可能な緩衝部材が底部に配置されることを特徴とする請求項２又は３に記載の直管ランプ収容具。
【請求項５】
前記筒状体の前記開口部は、前記他端側から一端側にかけて拡開するテーパー状に形成されることを特徴とする請求項２〜４のいずれか一項に記載の直管ランプ収容具。
【請求項６】
前記少なくとも一つの筒状体が他の筒状体よりも一端を突出させて配置されることを特徴とする請求項２〜５のいずれか一項に記載の直管ランプ収容具。
【発明の詳細な説明】
【技術分野】
【０００１】
本発明は、電柱等の高所に設置される照明器具の直管ランプを交換する作業の際に用いられる直管ランプ収容具に関する。
【背景技術】
【０００２】
路上に立設される電柱には、防犯等を目的として、防犯街路灯などと呼ばれる照明器具が地上から４ｍ〜４．５ｍ程度の高所位置に設置される。かかる照明器具には、棒状の蛍光灯に代表されるいわゆる直管ランプが取り付けられており、寿命が来ると新しいものに適宜交換される。
【０００３】
直管ランプを交換するに際しては、作業者が直接電柱に昇って作業を行う方法が一般的であるが、高所作業車と呼ばれる車両を用いて作業者がリフトに乗り込んで照明器具まで接近して作業を行う方法もあり、また最近では、特許文献１に示すように、直管ランプの交換器具を低所から操作することによって作業を行う方法も提案されている。
【０００４】
ところで、直接電柱に昇って作業を行う直管ランプの交換作業においては、作業者は、地上において布製の袋に新しい直管ランプを収容し、この布製の袋を携帯して照明器具が設置された高さ位置まで電柱を昇り、柱上において古い直管ランプを取り外してから新しい直管ランプを取り付けた後電柱を降りる。
【０００５】
【特許文献１】特開平９−１４７７９３号公報
【発明の開示】
【発明が解決しようとする課題】
【０００６】
しかしながら、上記のように布製の袋を用いた場合には、直管ランプが周囲の物にぶつかった場合の衝撃に対する保護が十分でないため、交換作業中、特に作業者が電柱を昇降する際などに布製の袋の内部に収容された直管ランプを誤って破損してしまうおそれがある。しかも、布製の袋では、複数の直管ランプを同時に収容しようとすると、直管ランプ同士が当たって破損してしまうというおそれもある。このため、直管ランプの交換作業では、直管ランプ収容具から新しい直管ランプを取り出した後でなければ古い直管ランプを収容することができず、新旧の直管ランプを同時に手に持つ状況が発生して手が塞がるなどし、作業効率も悪い。
【０００７】
そこで、本発明は、電柱等の高所に設置される照明器具の直管ランプを交換する作業の際に、直管ランプが破損するのを好適に防止して、交換作業の効率を高めることのできる直管ランプ収容具を提供することを目的とする。
【課題を解決するための手段】
【０００８】
本発明に係る直管ランプ収容具は、電柱等の高所に設置される照明器具に取り付けられる直管ランプの交換作業の際に用いられる直管ランプ収容具であって、少なくとも二つの直管ランプを別個に収容すべく一つの直管ランプに対応した収容空間が少なくとも二つ確保され、一端側から前記直管ランプが出し入れされるケース本体と、該ケース本体を作業者に保持させるための保持部材とを備えることを特徴とする。
【０００９】
上記構成からなる直管ランプ収容具によれば、ケース本体に直管ランプが収容されるため、周囲の物にぶつかった場合の衝撃から直管ランプを保護することができる。また、少なくとも二つの直管ランプが別個に、即ち、互いに離間された状態で収容されるため、例えば新旧の直管ランプなど複数の直管ランプが同時に両方ともケース本体に収容される状況においても、互いが接触して破損するおそれがない。
【００１０】
また、前記ケース本体は、直管ランプを一つ収容可能で他端側に底部を有する筒状体を少なくとも二つ連結させて構成されるものが好ましい。かかる構成を採用すれば、上記のような、一つの直管ランプに対応した空間が少なくとも二つ確保され、直管ランプを別個に収容可能なケース本体を容易に作製することができる。
【００１１】
そして、前記筒状体は、開放された一端側の開口部から他端側に向かう切り欠きを外周面に有し、該切り欠きは、前記両端間方向における一端が前記筒状体に収容される直管ランプの一端部よりも前記他端側に位置するように形成される構成が好ましい。かかる構成を採用すれば、筒状体に収容される直管ランプの一端部が切り欠きに臨出する状態となるため、直管ランプをケース本体の側面側から容易に視認することができ、新旧の直管ランプの取り違え等を防止して、交換作業を効率良く行うことができる。
【００１２】
さらに、前記筒状体の内部には、前記直管ランプを受け止める弾性変形可能な緩衝部材が底部に配置される構成が好ましい。かかる構成を採用すれば、直管ランプを収容する際の衝撃が吸収されるため、交換作業中に直管ランプが破損するのを好適に防止することができる。
【００１３】
また、前記筒状体の前記開口部は、前記他端側から一端側にかけて拡開するテーパー状に形成されるものであってもよい。かかる構成を採用すれば、大きく広がった開口部から直管ランプを挿入することで、直管ランプを容易に収容することができる。
【００１４】
そして、前記少なくとも一つの筒状体が他の筒状体よりも一端を突出させて配置されるものであってもよい。かかる構成を採用すれば、筒状体を識別するのが容易となるため、例えば突出した筒状体を新しい直管ランプ用とし、その他の筒状体を古い直管ランプ用といったように取り決めることで、新旧の直管ランプの取り違え等を防止して、交換作業を効率良く行うことができる。
【発明の効果】
【００１５】
以上のように、本発明に係る直管ランプ収容具によれば、電柱等の高所に設置される照明器具の直管ランプを交換する作業の際に、直管ランプが破損するのを好適に防止して、交換作業の効率を高めることができる。
【発明を実施するための最良の形態】
【００１６】
以下に、本発明に係る直管ランプ収容具の実施形態について、図面に基づいて説明する。
【００１７】
＜第一実施形態＞
本実施形態に係る直管ランプ収容具１は、図１に示すような電柱等の高所に設置される照明器具に取り付けられる直管ランプＬ（図１（Ｂ））を交換する作業の際に用いられる直管ランプ収容具１であり、図２に示すように、二つの直管ランプＬ，Ｌを別個に収容すべく一つの直管ランプＬに対応した収容空間Ｓが二つ確保され、一端側から前記直管ランプＬが出し入れされるケース本体２と、該ケース本体２を作業者に保持させるための保持部材３とを備える。
【００１８】
ここで、電柱等の高所に設置される照明器具に用いられる直管ランプＬは、規格によって直管の２０形と定められており、具体的には管球部分Ｌ１の長さが５８０ｍｍ、両端に設けられる端子Ｌｂ２を含んだ全長Ｌ２が５９５ｍｍ以下となっている。また、管の径（直径）Ｌ３は２８ｍｍのものが一般的であるが、形式により太めのもの若しくは細めのものがある。
【００１９】
前記直管ランプ収容具１の収容空間Ｓは、前記直管ランプＬの形状に対応して細長く形成され、その大きさは、上記直管ランプＬの大きさに基づいて決定される。具体的には、収容空間Ｓの長手方向の長さ寸法は直管ランプＬの全長Ｌ２よりも大きく、また、長手方向に直交する断面は、直管ランプＬの軸線方向に直交する断面よりも大きく設定されるものの、直管ランプＬを二つ以上収容する必要がないことから、直管ランプＬの二つ分に満たない大きさに設定される。
【００２０】
具体的には、前記ケース本体２は、直管ランプＬを一つ収容可能で他端側に底部４ｂを有する二つの筒状体４，４を連結させて構成される。即ち、筒状体４の内周面によって画定される内部空間が前記収容空間Ｓに対応する。この筒状体４としては、例えば塩化ビニル製のパイプや段ボール製のものが用いられ、各筒状体４は、例えばバインド線（図示しない）など、周知の手段によって連結される。より具体的には、前記筒状体４は、いわゆる円筒形状を有する筒状部材である。
【００２１】
また、前記筒状体４は、図３（Ａ）にも示すように、開放された一端側の開口部４ａから他端側に向かう切り欠き６を外周面に有し、該切り欠き６は、前記両端間方向における一端６ａが前記筒状体４に収容される直管ランプＬの一端部Ｌａよりも前記他端側に位置するように形成される。また、前記切り欠き６は、筒状体４の外周面に複数形成され、少なくとも二つの切り欠き６，６は、互いに対向する位置に形成される。さらに、作業者が筒状体４の外周側から内部に収容された直管ランプＬを指で摘むことができるように、各切り欠き６は、直管ランプＬの一端部に対応する部位が指の幅と同程度以上に設定される。
【００２２】
具体的には、前記切り欠き６は、前記筒状体４の軸線方向に沿う四角形状を有する。さらに、該四角形状の切り欠き６を画定する端縁のうち前記軸線方向に沿う対向する二端縁６ｂ，６ｂ間の距離、即ち、前記切り欠き６の幅寸法は、約２ｃｍに設定される。また、該切り欠き６は、直管ランプＬが筒状体４の奥まで収容された状態で該直管ランプＬの一端部Ｌａが約２ｃｍ程度前記開口部４ａ側（即ち、筒状体４の一端側）に突出するように形成される。ところで、前記対向する二つの切り欠き６，６は、前記筒状体４，４同士が接触する部分とは異なる位置に形成される。さらに、前記対向する二つの切り欠き６，６は、各切り欠き６，６を結ぶ直線と、連結される二つの筒状体４，４の軸心を結ぶ直線とが直交する位置関係となるように形成される。
【００２３】
さらに、図３（Ｂ）に示すように、前記筒状体４の内部には、前記直管ランプＬを受け止める弾性変形可能な緩衝部材７が底部４ｂに配置される。該緩衝部材７は、筒状体４の底部４ｂ近傍における内周面を覆うように配置される。また、緩衝部材７は、前記軸線方向他端側（即ち、底部４ｂ側）ほど空間が狭まるテーパー形状を有する。該緩衝部材７のテーパーは、筒状体４の一端側（即ち、開口部４ａ側）が前記直管ランプＬよりも大きく形成され、底部４ｂ側が直管ランプＬよりも小さく形成される。より具体的には、前記緩衝部材７は、内径が徐々に狭まる漏斗形状のテーパーを有する。そして、該テーパーの径と直管ランプＬの径Ｌ３とが同等となる位置において、直管ランプＬの他端部Ｌｂにおける円形状の端縁部Ｌｂ１が緩衝部材７に当接するように設定される。即ち、直管ランプＬの前記端縁部Ｌｂ１が前記緩衝部材７に当接する位置から筒状体４の底面４ｂ１までの軸線方向距離、及び、該底面４ｂ１を覆うように配置される緩衝部材７までの軸線方向距離が、直管ランプＬの他端部Ｌｂから突出する端子Ｌｂ２の長さよりも長くなるように形成される。従って、直管ランプＬの端子Ｌｂ２は、緩衝部材７などの周囲の部材と接触しない。なお、緩衝部材７としては、弾性変形可能なウレタン等の素材が用いられる。
【００２４】
さらに、前記直管ランプ収容具１は、前記筒状体４の開放された開口部４ａを閉塞する蓋体８を備える。蓋体８としては、各筒状体４，４をそれぞれ別に閉塞するように筒状体４の個数分設けられる。なお、該蓋体８は、筒状体４の外側に嵌め込まれる（即ち、外嵌される）ものであるが、筒状体４の内側に嵌め込まれる（即ち、内嵌される）ものであってもよい。また、蓋体８としては、筒状体４の個数分設けられるものに限定されず、蓋体８は、各筒状体４，４が連結して構成されるケース本体２の一端部２ａ全体を閉塞するものであってもよい。なお、蓋体８は、鎖８ａ等を用いてケース本体２に着脱自在な状態で連結される。
【００２５】
前記保持部材３は、ケース本体２に取り付けられる紐状体として構成される。具体的には、該保持部材３は、前記ケース本体２の一端部２ａに取り付けられる環状体である。具体的には、該環状体は、環が作業者の身体を収容可能な大きさに形成され、作業者は、環状体を肩から斜めに掛ける態様でケース本体２を保持することができる。
【００２６】
さらに、直管ランプ収容具１は、掃除用具等が収納される収納体１０を備える。該収納体１０は、前記ケース本体２の外周の所定箇所に取り付けられ、例えば照明装置のフード等を掃除するための掃除布等が収納される。
【００２７】
次に、本実施形態に係る直管ランプ収容具１の使用方法について説明する。まず、地上において直管ランプ収容具１の準備を行い、ケース本体２を構成する二つの筒状体４，４のうち一方に新しい直管ランプＬを収容する。このとき、他方の筒状体４には何も入っていない空きの状態としておく。次に、作業者は、保持部材３を肩から斜めに掛けてケース本体２を保持する態様で直管ランプ収容具１を携帯する。そして、照明器具が設置された高さ位置まで電柱を昇り、照明器具のフードを開ける等した後、古い直管ランプＬを取り外す。作業者は、取り外した古い直管ランプＬを前記他方の筒状体４に収容する。ここで、前記収納体１０から掃除用具を取り出して、照明器具のフードや受け側端子等を掃除する。次に、前記一方の筒状体４に収容された新しい直管ランプＬを取り出して照明器具に取り付ける。その後、作業者は、照明器具のフードを閉める等して取り付けを完了すると、電柱を降りる。
【００２８】
上記実施形態に係る直管ランプ収容具１によれば、電柱等の高所に設置される照明器具の直管ランプＬを交換する作業の際に、直管ランプＬが破損するのを好適に防止して、交換作業の効率を高めることができる。
【００２９】
また、ケース本体２に直管ランプＬが収容されるため、周囲の物にぶつかった場合の衝撃から直管ランプＬを保護することができる。また、少なくとも二つの直管ランプＬ，Ｌが別個に、即ち、互いに離間された状態で収容されるため、例えば新旧の直管ランプＬ，Ｌが同時に両方ともケース本体２に収容される状況においても、互いが接触して破損するおそれがない。
【００３０】
しかも、ケース本体２は容易に入手可能な塩化ビニル製のパイプや段ボール製のものが用いられるため、容易且つ安価に作製することができるとともに、軽量である。
【００３１】
さらに、前記筒状体４には収容される直管ランプＬの一端部Ｌａが臨出する状態で切り欠き６が設けられるため、直管ランプＬをケース本体２の側面側から容易に視認することができ、新旧の直管ランプＬ．Ｌの取り違え等を防止して、交換作業を効率良く行うことができる。しかも、切り欠き６は互いに対向するように少なくとも二つ形成されるとともに、各切り欠き６，６は直管ランプＬの一端部Ｌａに対応する部位が指の幅と同程度以上に設定されるため、作業者が筒状体４の外周側から内部に収容された直管ランプＬを指で摘むことができ、直管ランプＬの取り出しが容易となる。
【００３２】
また、前記筒状体４の内部には、前記直管ランプＬを受け止める緩衝部材７が底部４ｂに配置されるため、直管ランプＬを収容する際の衝撃が吸収され、直管ランプＬが破損するのを好適に防止することができる。そして、緩衝部材７は、上述のようなテーパー形状を有するため、収容される直管ランプＬは、緩衝部材７によって直管ランプＬの他端部Ｌｂにおける円形状の端縁部Ｌｂ１を支持されることとなる。そのため、直管ランプＬの端子が緩衝部材７等の周囲の部材と接触するのを防止できる。しかも、緩衝部材７が弾性変形可能なため、直管ランプＬが緩衝部材７にいわば食い込む状態となって直管ランプＬが緩衝部材７の復元力によって挟持されることとなり、好適に抜け止めされる。
【００３３】
＜第二実施形態＞
第二実施形態に係る直管ランプ収容具２０は、直管ランプＬを挿入し易いように工夫されたものであり、図４に示すように、筒状体２４の前記開口部２４ａが、前記他端側から一端側にかけて拡開するテーパー状に形成されるものである。具体的には、前記筒状体２４は、全長に亘って一定の径を有する筒状部材２４１と、前記他端側から一端側にかけて拡開するテーパー形状を有するガイド部材２４２とで構成され、該ガイド部材２４２が前記筒状部材２４１の一端側に設けられるものである。また、該ガイド部材２４２は、前記筒状部材２４１の内側に嵌め込まれる（即ち、内嵌される）態様で取り付けられる。また、筒状体２４に形成される切り欠き２６は、ガイド部材２４２から筒状部材２４１に至るように設けられる。なお、筒状体２４は、筒状部材２４１とガイド部材２４２とが別体として設けられるものに限られず、一体的なもの、即ち、筒状部材の開口部が拡開するように構成されたものであってもよい。
【００３４】
第二実施形態に係る直管ランプ収容具２０は、上記第一実施形態に係る直管ランプ収容具１と同様の効果を奏するものであることに加えて、大きく広がった開口部２４ａから直管ランプＬを挿入することで、直管ランプＬを容易に収容することができる。
【００３５】
＜第三実施形態＞
第三実施形態に係る直管ランプ収容具３０は、図５に示すように、少なくとも一つの筒状体３４が他の筒状体３４よりも一端部を突出させて配置される。また、直管ランプ収容具３０は、該一つの筒状体３４の開口部３４ａに装着される蓋体３８を備え、該蓋体３８は、装着状態において前記他の筒状体３４の一端側に位置する突出部３８ａを備えて構成される。即ち、前記蓋体３８の突出部３８ａは、図５（Ｂ）に示すように、上面視において前記他の筒状体３４の断面領域のうち前記突出部３８ａに覆われない領域（即ち、隙間）が、該他の筒状体３４に収容される直管ランプＬよりも小さくなるように構成される。
【００３６】
第三実施形態に係る直管ランプ収容具３０は、上記第一実施形態に係る直管ランプ収容具１と同様の効果を奏することに加えて、筒状体３４を識別するのが容易となるため、例えば突出した筒状体３４を新しい直管ランプ用とし、その他の筒状体３４を古い直管ランプ用とするといったように取り決めることで、新旧の直管ランプＬ，Ｌの取り違え等を防止して、交換作業を効率良く行うことができる。しかも、蓋体３８を装着すると、前記他の筒状体３４の中に収容された直管ランプＬが突出部３８ａと干渉し得ることとなる。従って、突出した筒状体３４のみに蓋体３８を装着すれば、その筒状体３４に収容された直管ランプＬだけでなく、さらにその他の筒状体３４に収容された直管ランプＬに対しても不用意に飛び出すのを規制することができる。このため、前記ケース本体３２が収容可能な直管ランプＬの数よりも少ない数の蓋体３８で済み、直管ランプ収容具３０を構成する部材の数を少なく抑えることができる。
【００３７】
＜第四実施形態＞
第四実施形態に係る直管ランプ収容具４０は、図６に示すように、少なくとも一つの筒状体４４は、開放された一端側の開口部４４ａから他端側に向かう切り欠き４６を外周面に有し、該切り欠き４６は、前記両端間方向における一端が前記筒状体４４に収容される直管ランプＬの一端部よりも前記他端側に位置するように形成される。また、その他の筒状体４４の開口部４４ａは、前記他端側から一端側にかけて拡開するテーパー状に形成される。具体的には、二つの筒状体４４，４４のうちの一方が切り欠き４６を有し、他方の筒状体４４がテーパー状の開口部４４ａを有する。
【００３８】
前記他の筒状体４４は、第二実施形態に係る筒状体２４と同様に、全長に亘って一定の大きさの断面を有する筒状部材４４１Ａと、該筒状部材４４１Ａの一端側に設けられるテーパー形状を有するガイド部材４４２とで構成されるものである。しかも、前記各筒状体４４，４４は、一端部の位置を揃えて配置される。即ち、第四実施形態に係る直管ランプ収容具４０は、少なくとも一つの筒状体４４を構成する筒状部材４４１Ａが他の筒状体４４を構成する筒状部材４４１Ｂよりも一端部を突出させて配置され、さらに、該他の筒状体４４を構成する筒状部材４４１Ｂにガイド部材４４２が前記少なくとも一つの筒状体４４を構成する筒状部材４４１Ａと面一となるように取り付けられるものである。
【００３９】
第四実施形態に係る直管ランプ収容具４０は、上記第一実施形態に係る直管ランプ収容具１と同様の効果を奏することに加えて、筒状体４４，４４を識別するのが容易となるため、交換作業を効率良く行うことができる。即ち、例えば切り欠き４６が形成される筒状体４４を新しい直管ランプ用とし、開口部４４ａがテーパー状に形成される筒状体４４を古い直管ランプ用とするといったように取り決めることで、新旧の直管ランプの取り違え等を防止できる上に、柱上で直管ランプ収容具４０から新しい直管ランプＬを取り出す場合には切り欠き４６が形成されているので取り出しやすく、取り外した直管ランプＬを直管ランプ収容具４０に収容する場合には開口部４４ａが大きく広がっているので直管ランプＬを挿入しやすい。
【００４０】
なお、本発明に係る直管ランプ収容具は、上記実施形態に限定されるものではなく、本発明の要旨を逸脱しない範囲で種々の変更が可能である。
【００４１】
例えば、上記各実施形態においては、筒状体が二つ設けられるものに基づいて説明したが、これに限定されるものではなく、筒状体が三つ以上設けられる直管ランプ収容具であってもよい。このような直管ランプ収容具であれば、例えば照明器具が同一の電柱に二つ以上取り付けられる電柱に対して交換作業をおこなう場合であっても対応可能となる。
【００４２】
また、上記各実施形態においては、筒状体（若しくは筒状部材）が円筒状であるものに基づいて説明したが、これに限定されるものではなく、角筒状のものであってもよい。
【００４３】
そして、上記各実施形態においては、ケース本体が複数の筒状体を連結して形成されるものに基づいて説明したが、これに限定されるものではなく、例えば中空なケース本体の内部空間を仕切りを用いて二つの収容空間に分割するものであってもよい。また、この場合を含め、前記収容空間は、内周面によって完全に包囲されるものでなくてよく、直管ランプの移動を規制すべく設けられる突起等によって仮想的に画定されるものであってもよい。
【００４４】
さらに、上記各実施形態においては、切り欠きは、前記筒状体の軸線方向に沿う四角形状を有するものとして説明したが、これに限定されるものではなく、例えば三角形状を有するものであってもよい。また、切り欠きは、指の幅と同程度以上に設定されるものとして説明したが、これに限定されるものではなく、より細いものであってもよい。この場合であっても、切り欠きから直管ランプを視認することができるという効果を奏する。
【００４５】
また、上記各実施形態においては、切り欠きやテーパー状の部位が筒状体ごとに設けられるものとして説明したが、これに限定されるものではなく、切り欠き及び／又はテーパー部が形成されたアダプター部材を別途用意し、連結された状態の筒状体の一端部に対して該アダプター部材を嵌め込むものであってもよい。
【００４６】
そして、前記保持部材の環状体は、環が上記各実施形態のものよりも小さく形成され、作業者の身に付ける安全ベルト等に通されることにより、ケース本体が腰から吊り下げられる態様で作業者に保持されるものであってもよい。さらには、保持部材は、前記ケース本体の全長よりも長尺な紐状体であり、該紐状体の両端部がそれぞれ前記ケース本体の一端部と他端部に取り付けられるものであってもよい。この場合、紐状体と該紐状体が取り付けられたケース本体とによって、内部に作業者の身体を収容可能な一繋がりの環が形成される態様となる。作業者が直管ランプ収容具を携帯する際には、保持部材が前側、ケース本体が後ろ側となるように直管ランプ収容具を背負う。
【図面の簡単な説明】
【００４７】
【図１】（Ａ）は、直管ランプを備える照明器具が高所に設置される電柱を示し、（Ｂ）は、直管ランプを示す。
【図２】本発明の第一実施形態に係る直管ランプ収容具の斜視図を示す。
【図３】同実施形態に係る直管ランプ収容具に直管ランプが収容された状態を示す図であって、（Ａ）は、開口部近傍部位を示し、（Ｂ）は、底部側部位を示す。
【図４】本発明の第二実施形態に係る直管ランプ収容具の開口部近傍部位を示す。
【図５】本発明の第三実施形態に係る直管ランプ収容具を示す図であって、（Ａ）は、平面図を示し、（Ｂ）は、上面図を示す。
【図６】本発明の第四実施形態に係る直管ランプ収容具を示す。
【符号の説明】
【００４８】
１…直管ランプ収容具、２…ケース本体、２ａ…一端部、２ｂ…他端部、３…保持部材、４…筒状体、４ａ…開口部、４ｂ…底部、４ｂ１…底面、６…切り欠き、６ａ…一端、６ｂ，６ｂ…二端縁、７…緩衝部材、８…蓋体、８ａ…鎖、１０…収納体、２０…直管ランプ収容具、２４…筒状体、２４ａ…開口部、３０…直管ランプ収容具、３２…ケース本体、３４…筒状体、３４ａ…開口部、３８…蓋体、３８ａ…突出部、４０…直管ランプ収容具、４４…筒状体、４４ａ…開口部、４６…切り欠き、２４１…筒状部材、２４２…ガイド部材、４４１…筒状部材、４４２…ガイド部材、Ｌ…直管ランプ、Ｌ１…管球部分、Ｌ２…全長、Ｌ３…径、Ｌａ…一端部、Ｌｂ…他端部、Ｌｂ１…端縁部、Ｌｂ２…端子、Ｓ…収容空間
【図１】
2008066079.tif 000003
【図２】
2008066079.tif 000004
【図３】
2008066079.tif 000005
【図４】
2008066079.tif 000006
【図５】
2008066079.tif 000007
【図６】
2008066079.tif 000008